(57)【要約】【課題】光ファイバを挟み込むことなく、また短時間で光ファイバを余長心線収納トレイに収納する。【解決手段】光ファイバケーブル１から分岐した光ファイバ２７又は３５を余長心線収納トレイ３に収納する際、前記光ファイバケーブル１が延びる第１方向に沿って並行して備えたトレイ台５の一面に心線保護シート７の少なくとも一側縁側７Ａを固定する。前記心線保護シート７の他側縁側７Ｂは前記光ファイバケーブル１の周囲を覆って前記光ファイバ２７又は３５の余長部分を収納するように折り返され、前記心線保護シート７の他側縁７Ｂに設けたフック部１１で前記トレイ台５の一側縁に設けた係止部１７に係脱自在にロックする。このロックを簡単に解除して心線保護シート７を開放し、光ファイバ２７又は３５を取り出すことができる。【選択図】図１
2006003531.tif 000002
【特許請求の範囲】
【請求項１】
光ファイバケーブルから分岐した光ファイバの余長部分を余長心線収納トレイに収納する際、前記光ファイバケーブルが延びる第１方向に沿って並行して備えたトレイ台の一面に心線保護シートの少なくとも一側縁側を固定し、前記心線保護シートの他側縁側を前記光ファイバケーブルの周囲を覆って前記光ファイバの余長部分を収納するように折り返され、前記心線保護シートの他側縁に設けたフック部で前記トレイ台の一側縁に設けた係止部に係脱自在にロックすることを特徴とする光ファイバケーブルにおける余長心線の保護収納方法。
【請求項２】
前記フック部が鉤状をなす共に、前記フック部を前記トレイ台の一側縁に設けた切欠き窓部に挿入してから前記フック部の鉤状部分を前記トレイ台の一側縁の係止部に係止することを特徴とする請求項１記載の光ファイバケーブルにおける余長心線の保護収納方法。
【請求項３】
前記心線保護シートが可撓性を有する樹脂製であることを特徴とする請求項１又は２記載の光ファイバケーブルにおける余長心線の保護収納方法。
【請求項４】
光ファイバケーブルから分岐した光ファイバの余長部分を収納する余長心線収納トレイにおいて、
前記光ファイバケーブルが延びる第１方向に沿って並行して備えたトレイ台と、このトレイ台の一面に少なくとも一側縁側を固定し且つ他側縁側を前記光ファイバケーブルの周囲を覆って前記光ファイバの余長部分を収納するように折り返し可能に設けた心線保護シートと、この心線保護シートの他側縁に設けたフック部と、このフック部を係脱自在に前記トレイ台の一側縁に設けた係止部と、を備えてなることを特徴とする光ファイバケーブルにおける余長心線収納トレイ。
【請求項５】
前記フック部を鉤状に構成し、このフック部を挿脱可能な切欠き窓部を前記トレイ台の一側縁に設けると共に前記係止部をトレイ台の一側縁で前記フック部の鉤状部分を係止するように構成してなることを特徴とする請求項４記載の光ファイバケーブルにおける余長心線収納トレイ。
【請求項６】
前記心線保護シートが可撓性を有する樹脂製であることを特徴とする請求項４又は５記載の光ファイバケーブルにおける余長心線収納トレイ。
【発明の詳細な説明】
【技術分野】
【０００１】
この発明は、架空クロージャ、地下ケーブル、光配線盤内の光ファイバ心線の余長、保護、収納などに利用されるもので、光ファイバケーブルにおける余長心線の保護収納方法及び光ファイバケーブルにおける余長心線収納トレイに関する。
【背景技術】
【０００２】
近年、光通信ネットワークでは、光ファイバケーブルに設置される光クロージャや光配線盤、光成端箱などに余長心線収納トレイが設けられている。前記光ファイバケーブルから引き出された光ファイバ同士が融着接続や光コネクタ接続によって接続され、前記光ファイバの接続部及び接続余長が余長心線収納トレイ内に整理して収納される。
【０００３】
従来、光ファイバケーブルにおける余長心線の保護収納方法としては、上記の光ファイバの接続部及び接続余長が、例えばチャック付き軟質シート例えばビニールシートからなるジップロック形状の光ファイバ収納シートにより、保護、収納されている。なお、チャック付き光ファイバ収納シートは長方形の形状を持ち、チャック部分はジッパタイプやマジックテープ（登録商標）タイプ等のもので構成されている。
【０００４】
前記光ファイバケーブルから引き出されて光ファイバ同士が接続された接続部及び接続余長部分は輪状にして、光ファイバが１本ずつ前記チャック付き光ファイバ収納シート内に入れられ、チャック部分を密着することにより収納される。このチャック付き光ファイバ収納シートは扁平状態であり、複数のチャック付き光ファイバ収納シートが余長心線収納トレイ内に収納される（例えば、特許文献１参照）。
【特許文献１】特開平７−２０９５２０号公報
【発明の開示】
【発明が解決しようとする課題】
【０００５】
ところで、従来の光ファイバケーブルにおける余長心線の保護収納方法においては、光ファイバの接続余長部分がチャック部分で挟み込まれるために、光ファイバに無理な力がかかるという問題点があった。また、光ファイバが１本ずつチャック付き光ファイバ収納シート内に入れられるので、手間がかかるために作業時間が長くなるという問題点があった。
【０００６】
この発明は上述の課題を解決するためになされたものである。
【課題を解決するための手段】
【０００７】
この発明の光ファイバケーブルにおける余長心線の保護収納方法は、光ファイバケーブルから分岐した光ファイバの余長部分を余長心線収納トレイに収納する際、前記光ファイバケーブルが延びる第１方向に沿って並行して備えたトレイ台の一面に心線保護シートの少なくとも一側縁側を固定し、前記心線保護シートの他側縁側を前記光ファイバケーブルの周囲を覆って前記光ファイバの余長部分を収納するように折り返され、前記心線保護シートの他側縁に設けたフック部で前記トレイ台の一側縁に設けた係止部に係脱自在にロックすることを特徴とするものである。
【０００８】
また、この発明の光ファイバケーブルにおける余長心線の保護収納方法は、前記光ファイバケーブルにおける余長心線の保護収納方法において、前記フック部が鉤状をなす共に、前記フック部を前記トレイ台の一側縁に設けた切欠き窓部に挿入してから前記フック部の鉤状部分を前記トレイ台の一側縁の係止部に係止することが好ましい。
【０００９】
また、この発明の光ファイバケーブルにおける余長心線の保護収納方法は、前記光ファイバケーブルにおける余長心線の保護収納方法において、前記心線保護シートが可撓性を有する樹脂製であることが好ましい。
【００１０】
この発明の光ファイバケーブルにおける余長心線収納トレイは、光ファイバケーブルから分岐した光ファイバの余長部分を収納する余長心線収納トレイにおいて、
前記光ファイバケーブルが延びる第１方向に沿って並行して備えたトレイ台と、このトレイ台の一面に少なくとも一側縁側を固定し且つ他側縁側を前記光ファイバケーブルの周囲を覆って前記光ファイバの余長部分を収納するように折り返し可能に設けた心線保護シートと、この心線保護シートの他側縁に設けたフック部と、このフック部を係脱自在に前記トレイ台の一側縁に設けた係止部と、を備えてなることを特徴とするものである。
【００１１】
また、この発明の光ファイバケーブルにおける余長心線収納トレイは、前記光ファイバケーブルにおける余長心線収納トレイにおいて、前記フック部を鉤状に構成し、このフック部を挿脱可能な切欠き窓部を前記トレイ台の一側縁に設けると共に前記係止部をトレイ台の一側縁で前記フック部の鉤状部分を係止するように構成することが好ましい。
【００１２】
また、この発明の光ファイバケーブルにおける余長心線収納トレイは、前記光ファイバケーブルにおける余長心線収納トレイにおいて、前記心線保護シートが可撓性を有する樹脂製であることが好ましい。
【発明の効果】
【００１３】
以上のごとき課題を解決するための手段から理解されるように、この発明によれば、余長心線収納トレイのトレイ台に設けた心線保護シートで光ファイバケーブルの周囲を覆うようにすると共に、余長心線収納トレイのフック部とトレイ台の係止部によりワンタッチで心線保護シートの開閉を行うことができるので、手間がかかることなく短時間で光ファイバを取り出し及び余長部分を収納することができる。
【００１４】
また、従来のように光ファイバがフック部で挟み込まれることはない。
【発明を実施するための最良の形態】
【００１５】
以下、この発明の実施の形態について図面を参照して説明する。
【００１６】
図１及び図２（Ａ），（Ｂ）を参照するに、光ファイバケーブル１の分岐接続部は、例えば図示しない光クロージャが光ファイバケーブル１（以下、単に「光ケーブル」という）の任意の位置に設けられており、この実施の形態に係る余長心線収納トレイ３が前記光クロージャ内に備えられている。
【００１７】
また、余長心線収納トレイ３には、トレイ台５が光ケーブル１の延びる第１方向に沿った状態で並行して設けられており、可撓性を有する樹脂製の心線保護シート７がトレイ台５の一面に展開された状態で、少なくとも心線保護シート７の前記第１方向に平行な一側縁７Ａ側がトレイ台５の一側縁５Ａ側（前記第１方向に平行な一側縁側）に固定されている。好ましくは、心線保護シート７がトレイ台５の他側縁５Ｂ側に固定されているか、トレイ台５の一面全体に貼着や他の方法で固定されていることがよい。また、心線保護シート７は可撓性だけでなく反発性（元の平面展開状態へ復帰しようとする反力を有するもの）も有していることが望ましい。
【００１８】
さらに、前記心線保護シート７は前記一側縁７Ａに対向する他側縁７Ｂ側が、光ケーブル１の周囲を覆うようにして前記一側縁７Ａ側にゆるやかに折り返し可能に広く展開されている。したがって、トレイ台５の一面の幅寸法（第１方向に直交する第２方向の寸法）より少なくとも２倍以上の幅寸法で展開されていることが望ましい。また、心線保護シート７の他側縁７Ｂには、この実施の形態では心線保護シート７の他側縁７Ｂのほぼ中央に、例えば図１及び図２（Ａ）に示されているようにある程度の幅で突出した突出部分９が設けられ、且つ前記突出部分９の先端に鉤状部分１１Ａを備えたフック部１１が設けられている。さらに、心線保護シート７の他側縁７Ｂの第１方向の両端側には係合窓部１３が設けられている。
【００１９】
一方、上記のトレイ台５の一側縁５Ａの第１方向のほぼ中央には、前記心線保護シート７のフック部１１及び突出部分９が通過可能な切欠き窓部１５が設けられており、切欠き窓部１５に位置するトレイ台５の一側縁５Ａがフック部１１を係止するための係止部１７となる。さらに、前記トレイ台５の一側縁５Ａの第１方向の両端側には、前記心線保護シート７の係合窓部１３を係止せしめる係合突起部１９が設けられている。
【００２０】
図３を併せて参照するに、この実施の形態では光ケーブル１は、ＳＺスロット型光ケーブルであり、スロットロッド２１の中心に備えた抗張力体としての例えば複数のテンションメンバ２３、ここでは撚り合わせた７本のテンションメンバ２３と、スロットロッド２１の外周に配置された複数のスロット溝２５に収納した複数層の光ファイバとしての例えば光ファイバテープ心線２７、ここでは５層に積層された４心テープ心線２７と、スロットロッド２１の外周に押さえ巻きした押え巻線２９としての例えば金属テープと、から光ケーブルコア３１が構成される。さらに、前記光ケーブルコア３１の外周にはポリエチレン樹脂などのシース３３で被覆されて構成されている。
【００２１】
なお、上記の４心テープ心線２７は、図４に示されているように４本の光ファイバとしての例えば光ファイバ素線３５が一括被覆樹脂としての例えば一括ＵＶ樹脂３７で被覆されたものである。また、各光ファイバ素線３５は、光ファイバとしての例えば１２５μｍφの石英ガラス３９の外周にＵＶ樹脂４１で２５０μｍφに被覆されたものである。
【００２２】
再び図１を参照するに、上記の光ケーブル１は心線保護シート７の内側に通過している構成であり、光クロージャ内で、心線保護シート７の長手方向（第１方向）の長さ程度に光ケーブル１のシース３３が除去されている。シース３３が除去されたシース除去部分では、光ファイバテープ心線２７が容易に取り出され、この光ファイバテープ心線２７から分岐すべき光ファイバ素線３５が取り出されて切り出される。この切り出されて片側フリーとなった光ファイバ素線３５は、図示しない他の光ケーブルの光ファイバ素線と融着接続や光コネクタ接続によって接続される。この接続された光ファイバ素線３５には余長部分が設けられて心線保護シート７の内側に収納されるように配置されることになる。
【００２３】
上記構成により、心線保護シート７のフック部１１を備えた他側縁７Ｂ側が、図５に示されているように光ケーブル１のシース除去部分及び前記取り出された光ファイバ素線３５の接続部と余長部分を覆うように折り返され、突出部分９のフック部１１がトレイ台５の図２（Ａ），（Ｂ）、図６及び図７に示されているようにトレイ台５の一側縁５Ａの長手方向（第１方向）のほぼ中央に備えた切欠き窓部１５に挿通される。次いで、心線保護シート７の弾力のある反発性によりトレイ台５の外側方向〔図２（Ｂ）において左方の第２方向〕へ付勢力がかかるために、図２（Ｂ）及び図８に示されているように下方へ移動してフック部１１の先端の鉤状部分１１Ａがトレイ台５の一側縁５Ａの係止部１７に係合して容易にロックされる。
【００２４】
上記の心線保護シート７のフック部１１のロック動作に伴って、前記心線保護シート７のフック部１１の両側に設けた係合窓部１３がトレイ台５の一側縁５Ａの第１方向の両端側の係合突起部１９にほぼ自動的に係合して係止状態となる。
【００２５】
また、上記の心線保護シート７のフック部１１のロック状態を解除するには、上述したロック動作の逆を行えばよい。すなわち、図７に示されているように突出部分９のフック部１１が矢印方向の上方に引っ張られると、フック部１１の先端の鉤状部分１１Ａがトレイ台５の係止部１７から外れると共に心線保護シート７の係合窓部１３もトレイ台５の係合突起部１９から外れる。
【００２６】
次いで、心線保護シート７の係合窓部１３がトレイ台５の係合突起部１９に係合しないように注意しながら、フック部１１の先端の鉤状部分１１Ａがトレイ台５の切欠き窓部１５を通過して下方へ移動せしめることにより、フック部１１及び突出部分９が簡単に抜脱されてロック状態が解除される。
【００２７】
したがって、余長心線収納トレイ３のトレイ台５に設けた心線保護シート７で光ケーブル１の周囲を覆うようにすると共に、余長心線収納トレイ３のフック部１１とトレイ台５の係止部１７によりワンタッチで心線保護シート７の開閉を行うことができるので、手間がかかることなく短時間で光ファイバ素線３５の接続部と余長部分を取り出し及び収納することができる。また、光ファイバ素線３５がフック部１１で挟み込まれることは全くない。
【００２８】
なお、この発明は前述した実施の形態に限定されることなく、適宜な変更を行うことによりその他の態様で実施し得るものである。前述した実施の形態では、フック部１１と係止部１７とを一対をなして１箇所に設けているが、２箇所あるいはそれ以上の箇所に設けても構わない。
【００２９】
また、前述した実施の形態では架空の光クロージャ内に備えられる余長心線収納トレイ１を例にとって説明しているが、他の場所での光クロージャ、地下ケーブル、光配線盤などの余長心線収納トレイにも適用されるものである。
【図面の簡単な説明】
【００３０】
【図１】この発明の実施の形態の余長心線収納トレイを示す斜視図である。
【図２】（Ａ），（Ｂ）は、図１の矢視ＩＩ−ＩＩ線の断面図である。
【図３】この発明の実施の形態で用いられる光ファイバケーブルの断面図である。
【図４】光ファイバテープ心線の断面図である。
【図５】図１に続く余長心線収納トレイの心線収納動作を説明する斜視図である。
【図６】図５に続く余長心線収納トレイの心線収納動作を説明する斜視図である。
【図７】図６に続く余長心線収納トレイの心線収納動作を説明する斜視図である。
【図８】図７に続く余長心線収納トレイの心線収納動作を説明する斜視図である。
【符号の説明】
【００３１】
１  光ファイバケーブル（光ケーブル）
３  余長心線収納トレイ
５  トレイ台
５Ａ  一側縁（トレイ台５の）
５Ｂ  他側縁（トレイ台５の）
７  心線保護シート
７Ａ  一側縁（心線保護シート７の）
７Ｂ  他側縁（心線保護シート７の）
９  突出部分
１１  フック部
１１Ａ  鉤状部分
１３  係合窓部
１５  切欠き窓部
１７  係止部
１９  係合突起部
２１  スロットロッド
２３  テンションメンバ
２５  スロット溝
２７  光ファイバテープ心線（光ファイバ）
３３  シース
３５  光ファイバ素線（光ファイバ）
【図１】
2006003531.tif 000003
【図２】
2006003531.tif 000004
【図３】
2006003531.tif 000005
【図４】
2006003531.tif 000006
【図５】
2006003531.tif 000007
【図６】
2006003531.tif 000008
【図７】
2006003531.tif 000009
【図８】
2006003531.tif 000010